(57)【要約】【課題】排水ポンプの最低吸水位を飛躍的に下げて、その水位から下方の残水量を大幅に少なくすることができるポンプゲートを提供する。【解決手段】一方の水路１と他方の水路２の境界部に止水ゲート扉体３を昇降可能に設け、このゲート扉体３を開閉手段６により昇降（開閉）するように構成して、止水ゲート扉体３には横軸水中ポンプによってなる排水ポンプ４を設置する。この排水ポンプ４は、止水ゲート扉体５に対して、吸込口３側に向かって下がり勾配で傾斜する傾斜軸線Ｃ１を有して設置されているとともに、吸込口３の形状を縦方向の高さＨよりも横方向の幅Ｗを十分に大きく設定した横方向に拡がる偏平状に形成してある。【選択図】        図１
2004156255.tif 000002
【特許請求の範囲】
【請求項１】
排水ポンプを設けた止水ゲート扉体が開閉手段により開閉されるポンプゲートにおいて、前記排水ポンプが吸込口側に向かって下がり勾配で傾斜する傾斜軸線を有して前記止水ゲート扉体に設置されているとともに、前記吸込口が横方向に拡がる偏平状に形成されていることを特徴とするポンプゲート。
【発明の詳細な説明】
【０００１】
【発明の属する技術分野】
本発明は、水路に設置されるポンプゲートに関する。
【０００２】
【従来の技術】
従来より、ポンプゲートとして、たとえば図７に示すポンプゲートがある。このポンプゲートは、一方の水路１と他方の水路２の境界部に止水ゲート扉体３を昇降可能に設け、この止水ゲート扉体３に横軸水中ポンプによってなる排水ポンプ４を水平に設置し、この排水ポンプ４における一方の水路１に臨む吸込口５は横向きに開口し、他方の水路２に臨む吐出口６には、一方の水路１から他方の水路２への流れを許容しかつ他方の水路２から一方の水路１への流れを止めるように開閉するフラップ弁７を取付けてある（たとえば、特許文献１参照。）。
【０００３】
このポンプゲートによれば、開閉手段８により止水ゲート扉体３を下降させた境界部の閉じ状態で、排水ポンプ４を運転することにより、一方の水路１の水は、排水ポンプ４における一方の水路１に臨む吸込口５から吸込まれ、その水圧によりフラップ弁７を押し開けて吐出口６から他方の水路２に吐出（排水）される。また、止水ゲート扉体３の閉じ状態で排水ポンプ４の運転を停止すると、一方の水路１から他方の水路２への排水が停止されるとともに、フラップ弁７はその自重と他方の水路２の水圧との複合的な作用で自動的に閉じられ、他方の水路２から一方の水路１への逆流が防止される。さらに、開閉手段８により止水ゲート扉体３を吊り上げて、一方の水路１と他方の水路２の境界部を開放することによって、一方の水路１の水を他方の水路２Ｂに自然流下させることができる。
【０００４】
【特許文献１】
特願２００１−８７４５６号
【０００５】
【発明が解決しようとする課題】
ところが、排水ポンプ４が水平軸線Ｃを有して止水ゲート扉体３に設置されているので、最低吸水位ＬＷＬは横向きの吸込口５の上限位置Ｐ１よりもΔｈ１分だけ高くなり、この水位以下では排水ポンプ４を運転させることができない。このため、図８に示すように、排水ポンプ４の吸込側に下向きに曲がるエルボ９を取付けて、吸込口３を斜め下向きに開口させることによって、吸込口３の上限位置Ｐ２を図７の上限位置Ｐ１よりもΔｈ２相当分低い位置に設定し、最低吸水位ＬＷＬ１を図７の最低吸水位ＬＷＬよりもΔｈ２相当分低い位置に低下させることができる。しかし、このようなポンプゲートも、図７に示すポンプゲートと同様に、排水ポンプ４が水平軸線Ｃを有して止水ゲート扉体３に設置されている構造であるので、最低吸水位ＬＷＬ１から下側の残水量を大幅に少なくすることが期待できない。
【０００６】
本発明は、このような事情を考慮してなされたものであって、排水ポンプの最低吸水位を飛躍的に下げて、その水位から下方の残水量を大幅に少なくすることができるポンプゲートを提供することを目的としている。
【０００７】
【課題を解決するための手段】
前記目的を達成するために、本発明係るポンプゲートは、排水ポンプを設けた止水ゲート扉体が開閉手段により開閉されるポンプゲートにおいて、前記排水ポンプが吸込口側に向かって下がり勾配で傾斜する傾斜軸線を有して前記止水ゲート扉体に設置されているとともに、前記吸込口が横方向に拡がる偏平状に形成されていることを特徴としている。
【０００８】
本発明によれば、排水ポンプが吸込口側に向かって下がり勾配で傾斜する傾斜軸線を有して止水ゲート扉体に設置されているので、水平軸線を有して止水ゲート扉体に設置されているポンプゲートと比較して、吸込口の位置が低くなって最低吸水位を低位置に設定することができるとともに、吸込口が横方向に拡がる偏平状に形成されていることにより、ポンプの運転できる最低水位を同一開口面積を有する正円形吸込口の最低水位よりもさらに低位置に設定することができる。
【０００９】
【発明の実施の形態】
以下、本発明の実施の形態を図面に基づいて説明する。図１は本発明の一実施の形態を示す側面図、図２は拡大して示す図１のＡ−Ａ矢視図、図３は拡大して示す図１のＢ−Ｂ矢視図である。なお、前記従来例と同一もしくは相当部分には、同一符号を付して説明する。
【００１０】
図１において、一方の水路１と他方の水路２の境界部に止水ゲート扉体３を昇降可能に設け、この止水ゲート扉体３には、横軸水中ポンプによってなる排水ポンプ４が他方の水路２側から一方の水路１側に向かって下がり勾配で傾斜する傾斜軸線Ｃ１、つまり吸込口３側に向かって下がり勾配で傾斜する傾斜軸線Ｃ１を有して設置されている。なお、傾斜角θは１０〜２０度（実施の形態では約１０度）の範囲が好ましい。また、排水ポンプ４の吸込側に下向きに曲がるエルボ９を取付けて、吸込口３を斜め下向きに開口させるとともに、吸込口３の形状を縦方向の高さＨよりも横方向の幅Ｗを十分に大きく設定した横方向に拡がる偏平状に形成してある。
【００１１】
排水ポンプ４における他方の水路２に臨む吐出口６には、一方の水路１から他方の水路２への流れを許容しかつ他方の水路２から一方の水路１への流れを止めるように開閉するフラップ弁７が取付けられている。そして、図１および図４に示すように、一対の係合片１０，１０に設けた係合凹部１０Ａを止水ゲート扉体３側の縦方向のガイドパイプ１１，１１に係合させ、ガイドパイプ１１，１１に沿って排水ポンプ４を降下させることにより止水ゲート扉体３に取付けることができ、この状態で排水ポンプ４を引き上げることにより止水ゲート扉体３から排水ポンプ４を取り外すことが可能な構造、つまり排水ポンプ４を容易に着脱することができる着脱式に構成されている。
【００１２】
前記構成において、止水ゲート扉体３を下降させて境界部を閉じた状態で、排水ポンプ４を運転することにより、一方の水路１の水は、排水ポンプ４における一方の水路１に臨む吸込口５から吸込まれ、その水圧によりフラップ弁７を押し開けて吐出口６から他方の水路２に吐出（排水）される。また、止水ゲート扉体３の閉じ状態で排水ポンプ４の運転を停止すると、一方の水路１から他方の水路２への排水が停止されるとともに、フラップ弁７はその自重と他方の水路２の水圧との複合的な作用で自動的に閉じられ、他方の水路２から一方の水路１への逆流が防止される。さらに、開閉手段８（たとえば図７参照）により止水ゲート扉体３を吊り上げて、一方の水路１と他方の水路２の境界部を開放することによって、一方の水路１の水を他方の水路２に自然流下させることができる。
【００１３】
一方、排水ポンプ４は、吸込口３側に向かって下がり勾配で傾斜する傾斜軸線Ｃ１を有して設置されているとともに、排水ポンプ４の吸込側に下向きに曲がるエルボ９を取付けて、吸込口３を斜め下向きに開口させて、吸込口３の形状を縦方向の高さＨよりも横方向の幅Ｗを十分に大きく設定した横方向に拡がる偏平状に形成してあるので、吸込口３の上限位置Ｐ３を図８の上限位置Ｐ２（図１では二点鎖線で示している）よりもさらにΔｈ３相当分低い位置に設定し、最低吸水位ＬＷＬ２を図８の最低吸水位ＬＷＬ１（図１では二点鎖線で示している）よりもΔｈ３相当分低い位置に飛躍的に低下させ、水位ＬＷＬ２から下方の残水量を大幅に少なくすることができる。
【００１４】
たとえば、図５，図６の実線で示すように、吸込口３の形状が縦方向の高さＨよりも横方向の幅Ｗを十分に大きく設定した横方向に拡がる偏平状に形成されているので、二点鎖線で示すようにな正円形の下向きの吸込口３と比較して、両者の開口面積が同じであれば、たとえば、実線で示す本発明の吸込口３の上限位置Ｐ３を二点鎖線で示す正円形吸込口３の上限位置Ｐ４よりもΔｈ４相当分低い位置に設定して、最低吸水位ＬＷＬ２を正円形吸込口３の最低吸水位ＬＷＬ３よりもΔｈ４相当分低い位置に低下させ、水位ＬＷＬ２から下方の残水量を大幅に少なくすることができる。
【００１５】
なお、前記実施の形態では、止水ゲート扉体３に１台の排水ポンプ４を設置した構造で説明しているが、本発明は、幅方向（横方向）の間隔を隔てて止水ゲート扉体３に複数台（たとえば２台）の排水ポンプ４を設置した構造であってもよい。
【００１６】
【発明の効果】
以上説明したように、本発明に係るポンプゲートは構成されているので、以下のような格別の効果を奏する。
【００１７】
排水ポンプが吸込口側に向かって下がり勾配で傾斜する傾斜軸線を有して止水ゲート扉体に設置されているので、水平軸線を有して止水ゲート扉体に設置されているポンプゲートと比較して、吸込口の位置が低くなって最低吸水位を低位置に設定することができるとともに、吸込口が横方向に拡がる偏平状に形成されていることにより、ポンプの運転できる最低水位を同一開口面積を有する正円形吸込口の最低水位よりもさらに低位置に下げて、その水位から下方の残水量を大幅に少なくすることができる。
【図面の簡単な説明】
【図１】本発明の一実施の形態を示す側面図である。
【図２】拡大して示す図１のＡ−Ａ矢視図である。
【図３】拡大して示す図１のＢ−Ｂ矢視図である。
【図４】拡大して示す図１のＤ−Ｄ線断面図である。
【図５】比較例の側面図である。
【図６】拡大して示す図５のＥ−Ｅ矢視図である。
【図７】第１従来例の側面図である。
【図８】第２従来例の側面図である。
【符号の説明】
１  一方の水路
２  他方の水路
３  止水ゲート扉体
４  排水ポンプ
５  吸込口
８  開閉手段
Ｃ１  傾斜軸線
【図１】
2004156255.tif 000003
【図２】
2004156255.tif 000004
【図３】
2004156255.tif 000005
【図４】
2004156255.tif 000006
【図５】
2004156255.tif 000007
【図６】
2004156255.tif 000008
【図７】
2004156255.tif 000009
【図８】
2004156255.tif 000010